(57)【要約】  調理器具であって、調理システム（１０）と搬送制御システム（２０）とを含み、調理システム（１０）は、第１の入力口及び第２の入力口が設けられた洗浄装置（１１）と、洗浄装置（１１）に接続される調理チャンバーと、調理システム（１０）を独立制御可能な第１の制御装置を含み、搬送制御システム（２０）は、調理システム（１０）の外側に位置付けられ、調理システム（１０）と取り外し可能に接続され、且つ第１の入力口及び第２の入力口に連通することができ、それぞれ第１の入力口及び第２の入力口を通して、洗浄装置（１１）に洗浄待ちの食材と食材の洗浄用の水を搬送する。調理器具は、調理システム（１０）と搬送制御システム（２０）とを分離させ、管路また他の方式によって両者の間の接続を実現することで、調理システム（１０）と搬送制御システム（２０）とが、独立して作業することを保証し、互いに干渉せず、器具全体の信頼性を有効に向上させ、製品の故障率を低減させる。
2019533506.tif 000002
【特許請求の範囲】
【請求項１】
第１の入力口と第２の入力口とが設けられた洗浄装置と、前記洗浄装置に接続される調理チャンバーと、調理システムを独立制御可能な第１の制御装置とを含む調理システムと、
前記調理システムの外側に位置付けられ、前記調理システムと取り外し可能に接続され、且つ前記第１の入力口及び前記第２の入力口に連通することができ、それぞれ前記第１の入力口及び前記第２の入力口を通して、前記洗浄装置に、洗浄待ちの食材と前記食材の洗浄用の水とを搬送する搬送制御システムと、を含むことを特徴とする調理器具。
【請求項２】
前記搬送制御システムは、
食材供給アセンブリと食材供給管とを含み、前記食材供給管の入口が前記食材供給アセンブリに接続され、前記食材供給管の出口が前記第１の入力口に連通することができ、前記洗浄装置に洗浄待ちの前記食材を搬送する食材供給装置と、
送水アセンブリと送水管とを含み、前記送水管の入口が前記送水アセンブリに接続され、前記送水管の出口が前記第２の入力口に連通することができ、前記洗浄装置に前記食材の洗浄用の水を搬送する水路搬送装置と、
前記食材供給装置及び前記水路搬送装置に接続され、前記食材供給装置及び前記水路搬送装置のオン・オフを制御する第２の制御装置と、を含むことを特徴とする請求項１に記載の調理器具。
【請求項３】
前記食材供給アセンブリは、
排出口が設けられ、前記食材を貯蔵する貯蔵箱と、
入口が前記排出口に連通され、出口が前記食材供給管の入口に連通される排出管と、
送風口が前記食材供給管の入口に連通され、前記食材供給管内の食材を前記洗浄装置に搬送するように、前記食材供給管に送風する送風部材と、
前記排出管に設けられ、且つ前記第２の制御装置に接続され、前記排出管のオン・オフを制御する第１の制御部材と、を含むことを特徴とする請求項２に記載の調理器具。
【請求項４】
前記食材供給アセンブリは、
前記貯蔵箱に接続され、前記貯蔵箱及び前記貯蔵箱内の食材の総重量を計量可能な計量センサーモジュールをさらに含むことを特徴とする請求項３に記載の調理器具。
【請求項５】
前記送水アセンブリは、
前記送水管の入口に接続され、前記送水管に給水する給水アセンブリと、
前記送水管に設けられ、前記第２の制御装置に接続され、前記送水管のオン・オフを制御する第２の制御部材と、を含むことを特徴とする請求項２〜４のいずれか一項に記載の調理器具。
【請求項６】
前記送水アセンブリは、
前記送水管に設けられ、前記送水管を通過する水量を検出する流量計をさらに含むことを特徴とする請求項５に記載の調理器具。
【請求項７】
前記給水アセンブリは、外部の水を前記搬送制御システムに搬送するように外部の水源に連通される水道管ジョイントを含むことを特徴とする請求項５に記載の調理器具。
【請求項８】
前記給水アセンブリは、前記食材の洗浄用の水を貯蔵する水タンクを含み、前記水タンクの排水口が前記送水管の入口に連通されることを特徴とする請求項５に記載の調理器具。
【請求項９】
前記搬送制御システムは、前記調理器具が横型構造を有するように前記調理システムの一側に設けられることを特徴とする請求項１〜４のいずれか一項に記載の調理器具。
【請求項１０】
前記調理器具は炊飯器であることを特徴とする請求項１〜４のいずれか一項に記載の調理器具。
【発明の詳細な説明】
【技術分野】
【０００１】
本願は、２０１６年１０月２０日に中国特許庁に出願された、出願番号が第２０１６１０９１７２２２．９号であり、発明の名称が「調理器具」である中国特許出願に基づき優先権を主張し、その内容の全てを援用するにより本願に援用する。
本発明は、台所用品分野に関し、特に、調理器具に関する。
【背景技術】
【０００２】
現在、知能化の調理器具、例えば自動炊飯器の構造が複雑となり、器具全体が大きく、且つ給水設備、供給設備及び調理システムが混在してしまい、調理システムにおける電源制御システム、パネル操作システムなどの構造が水の影響を受け易く、器具全体の信頼性が低下し、製品の故障率が増加し、メンテナンスの作業量が非常に多くなっている。
【発明の概要】
【発明が解決しようとする課題】
【０００３】
上記技術的問題の少なくとも一つを解決するために、本発明は、調理器具を提供することを目的とする。
【課題を解決するための手段】
【０００４】
これに鑑みて、本発明は、第１の入力口及び第２の入力口が設けられた洗浄装置と、前記洗浄装置に接続される調理チャンバーと、調理システムを独立制御可能な第１の制御装置と、を含む調理システムと、前記調理システムの外側に位置付けられ、前記調理システムと取り外し可能に接続され、且つ前記第１の入力口及び前記第２の入力口に連通することができ、それぞれ前記第１の入力口及び前記第２の入力口を通して、前記洗浄装置に、洗浄待ちの食材と前記食材の洗浄用の水とを搬送する搬送制御システムと、を含む調理器具を提供する。
【０００５】
本発明で提供する調理器具によれば、調理システムと搬送制御システムとを分離させ、管路または他の方式によって両者の間の接続を実現し、調理システムと搬送制御システムとが独立して作業することを保証し、互いに干渉せず、器具全体の信頼性を有効に向上させ、製品の故障率を低減させる。
【０００６】
具体的には、調理器具は、調理システムと搬送制御システムを含み、調理システムは、第１の制御装置を備えるため、独立して作業することができ、搬送制御システムの影響を受けない。搬送制御システムが調理システムの外側に位置付けられ、且つ調理システムと取り外し可能に接続され、調理システムに水・食材を供給するために用いられる。本出願の調理器具の供給設備及び給水設備は、調理システムと分離しており、従来技術の供給設備及び給水設備が調理システムと混在してしまい、調理システムの電源制御システム、パネル操作などの構造が水に影響されて信頼性が低減する問題を解決したため、器具全体の信頼性を有効に向上させ、製品の故障率が低減し、製品のメンテナンス作業量を顕著に減少し、製品の市場競争力を増加させる。なお、搬送制御システムが調理システムの外側に位置付けられ、且つ調理システムと取り外し可能に接続されるため、搬送制御システム又は調理システムに問題がある時に、搬送制御システム、又は調理システムを交換するだけで良く、器具全体が使えなくなることがなく、そのため、製品のコストも相対的に低減することができる。
【０００７】
また、本発明で提供する上記実施例に係る調理器具は、さらに以下のような付加的技術的な特徴を有する。
【０００８】
上記の技術的手段において、前記搬送制御システムは、食材供給アセンブリと食材供給管とを含み、前記食材供給管の入口が前記食材供給アセンブリに接続され、前記食材供給管の出口が前記第１の入力口に連通することができ、前記洗浄装置に洗浄待ちの前記食材を搬送する食材供給装置と、送水アセンブリと送水管とを含み、前記送水管の入口が前記送水アセンブリに接続され、前記送水管の出口が前記第２の入力口に連通することができ、前記洗浄装置に前記食材の洗浄用の水を搬送する水路搬送装置と、前記食材供給装置及び前記水路搬送装置に接続され、前記食材供給装置及び前記水路搬送装置のオン・オフを制御する第２の制御装置と、を含む。
【０００９】
搬送制御システムは、食材供給装置、水路搬送装置及び第２の制御装置を含み、食材供給装置は、食材供給管によって第１の入力口に連通され、風力または他の動力を利用して、洗浄装置に洗浄待ちの食材を搬送し、搬送制御システムの供給機能を実現し、水路搬送装置は、送水管によって第２の入力口に連通し、洗浄装置に食材の洗浄用の水を搬送し、搬送制御システムの送水機能を実現し、第２の制御装置が、食材供給装置及び水路搬送装置に接続し、両者のオン・オフをそれぞれ制御することで、供給動作の起動停止、及び送水動作の起動停止をそれぞれ制御し、搬送制御システムの自動制御機能を実現して、独立して作業することができ、調理システムの干渉を受けない。食材供給装置、水路搬送装置が第２の制御装置に合わせて、調理器具の自動供給及び自動送水を実現し、調理器具が自動的に食材を洗浄することを保証し、調理器具の全自動化機能を実現した。
【００１０】
上記いずれか一つの技術的手段において、前記食材供給アセンブリは、排出口が設けられ、前記食材を貯蔵する貯蔵箱と、入口が前記排出口に連通され、出口が前記食材供給管の入口に連通される排出管と、送風口が前記食材供給管の入口に連通され、前記食材供給管内の食材を前記洗浄装置に搬送するように、前記食材供給管に送風する送風部材と、前記排出管に設けられ、且つ前記第２の制御装置に接続され、前記排出管のオン・オフを制御する第１の制御部材と、を含む。
【００１１】
食材供給アセンブリは、貯蔵箱、排出管、送風部材及び第１の制御部材を含み、即ち、食材供給装置は、風力で供給を実現する気体駆動食材供給装置であり、供給効率が高く、清潔で環境にやさしく、更に食材の空気攪拌を実現し、食材を有効に洗浄することができる。具体的に、供給する時に、第２の制御装置は第１の制御部材を制御して排出管を導通し、貯蔵箱内の食材が排出管を通して食材供給管に搬送され、送風部材の吹き出し動作で、第１の入力口を通して洗浄装置に搬送され、食材供給装置の供給機能を実現し、供給が完了した後、第２の制御装置は、第１の制御部材を制御して排出管を切断し、食材供給装置の供給が止まったが、送風部材は食材供給管に送風し続け、風が洗浄装置に入って、食材及び水の運動を促進し、両者に対して攪拌作用を起こすため、食材の空気攪拌を実現でき、食材を更に有効に洗浄することができる。
【００１２】
勿論、食材供給装置は気体駆動食材供給装置に限らず、他の動力を利用して、食材を洗浄装置に搬送することができ、いずれも本発明の目的を実現でき、且ついずれも本発明の設計構想及び趣旨を逸脱しないため、全ては本発明の保護範囲に含まれることが、当業者にとって理解されるべきである。
【００１３】
上記いずれか一つの技術的手段において、前記食材供給アセンブリは、前記貯蔵箱に接続され、前記貯蔵箱及び前記貯蔵箱内の食材の総重量を計量可能な計量センサーモジュールをさらに含む。
【００１４】
計量センサーモジュールを設け、貯蔵箱と貯蔵箱内の食材の総重量を計量し、計量センサーモジュールに表示した重量変化だけで、貯蔵箱から搬送した食材重量、即ち洗浄装置に搬送された食材重量を得て、食材供給装置の正確な定量供給を実現する。
【００１５】
上記いずれか一つの技術的手段において、前記食材供給管はホースである。
【００１６】
上記いずれか一つの技術的手段において、前記貯蔵箱は漏斗形状である。
【００１７】
上記いずれか一つの技術的手段において、前記送風部材はサイクロンモーターである。
【００１８】
上記いずれか一つの技術的手段において、前記第１の制御部材は電磁ボールバルブである。
【００１９】
食材が重力の作用で自動的に排出されるように、貯蔵箱は漏斗形状となるが、勿論、貯蔵箱の形状は漏斗形状に限らない。食材供給管はホースであり、柔軟性が良いホースは取付空間に対する要求が低いため、簡単で有効であり、柔軟な物資搬送を実現し、空間配置は更に柔軟に行え、省スペースであり、送風部材はサイクロンモーターであり、風力が強く、使用信頼性が高く、勿論、他の送風部材を使用することもできる。第１の制御部材は電磁ボールバルブであり、制御は安定しており、感度が高く、勿論、他の制御部材を使用することも可能である。
【００２０】
上記いずれか一つの技術的手段において、前記排出管、前記食材供給管及び前記送風部材が中間部材によって接続され、前記中間部材は三つの接続口を有し、三つの前記接続口が、それぞれ前記排出管の出口、前記食材供給管の入口及び前記送風部材の送風口に連通される。
【００２１】
排出管、食材供給管及び送風部材が、三つの接続口を有する中間部材によって接続され、そうすると、排出管内の食材がまず中間部材に搬送され、それから、送風部材によって食材供給管に吹き出され、食材供給管を通して洗浄装置に搬送される。このような配置は非常に合理的であり、食材が洗浄装置の方向のみに流れ、逆方向に流さないことを保証して、製品の使用信頼性を保証する。
【００２２】
上記いずれか一つの技術的手段において、前記中間部材は三方パイプ、又は三つの前記接続口を有する容器である。
【００２３】
中間部材は三方パイプであり、三方パイプの接続が安定しており、値段が安く、且つ取り付け易い、中間部材は三つの接続口を含む容器であり、例えば三つ口フラスコの形状に似ている容器であり、このような中間部材は、一定の過渡作用が更にあるため、食材が中間部材においてしばらく滞在し、且つ風力の作用で転がったり、摩擦したりして、食材表面にある粒状物を脱落させ、一定のドライクリーニングの作用があり、食材の清潔度を向上させる。勿論、中間部材は、他の部材であっても良く、三つの接続口を備え、且つ排出管、食材供給管及び送風部材の三者の間の有効な接続を実現できるものであれば良い。
【００２４】
上記いずれか一つの技術的手段において、前記送水アセンブリは、前記送水管の入口に接続され、前記送水管に給水する給水アセンブリと、前記送水管に設けられ、前記第２の制御装置に接続され、前記送水管のオン・オフを制御する第２の制御部材と、を含む。
【００２５】
送水アセンブリは、送水アセンブリと第２の制御部材とを含み、送水する時に、第２の制御装置は、第２の制御部材を制御して送水管を導通し、給水アセンブリによって送水管を通して水を洗浄装置に搬送し、水路搬送装置の送水機能を実現し、送水を完了した後、第２の制御装置は、第２の制御部材を制御して送水管を切断し、そうすると、洗浄装置内の食材が水と混合し合って、食材に対する洗浄を実現し、且つ洗浄装置の洗浄動作が完了した後、送水管を再び導通し、再び洗浄装置に送水することができるため、洗浄装置本体も有効に洗浄される。
【００２６】
上記いずれか一つの技術的手段において、前記送水アセンブリは、前記送水管に設けられ、前記送水管を通過する水量を検出する流量計をさらに含む。
【００２７】
送水管に流量計を設け、流量計を利用して送水管を通過する流量を検出することで、水路搬送装置が洗浄装置に搬送した水量を得て、正確な定量送水を実現する。
【００２８】
上記いずれか一つの技術的手段において、前記給水アセンブリは、外部の水を前記搬送制御システムに搬送するように外部の水源に連通される水道管ジョイントを含む。
【００２９】
上記いずれか一つの技術的手段において、前記給水アセンブリは、第３の制御部材をさらに含み、前記第３の制御部材が前記水道管ジョイントに設けられ、前記水道管ジョイントのオン・オフを制御する。
【００３０】
給水アセンブリは水道管ジョイントを含み、水道管ジョイントを利用して、外部の水源の水を直接に洗浄装置に搬送し、例えば水道に直接に接し、非常に便利であり、別体の貯水構造を設置する必要がないため、調理器具の構造を更に簡単化させ、器具全体の構造が更にコンパクトになり、スペースの占用が少なくなる。更に、水道管ジョイントのオン・オフを制御するように、水道管ジョイントに第３の制御部材を設けることによって、送水管の水が逆流することを避け、製品の使用信頼性を更に向上させる。
【００３１】
上記いずれか一つの技術的手段において、前記給水アセンブリは、前記食材の洗浄用の水を貯蔵する水タンクを含み、前記水タンクの排水口が前記送水管の入口に連通される。
【００３２】
上記いずれか一つの技術的手段において、前記給水アセンブリは水ポンプをさらに含み、前記水ポンプの入力端が前記水タンクの排水口に連通され、前記水ポンプの出力端が前記搬送制御システムに連通され、前記搬送制御システムに前記水タンク内の水を押し入れる。
【００３３】
給水アセンブリは水タンクを含み、水タンクの貯水によって、同様に洗浄装置に便利に給水することができる。更に、水ポンプを設けることで、洗浄装置に水タンク内の水を押し入れることを保証し、更に製品の使用信頼性を保証する。
【００３４】
上記いずれか一つの技術的手段において、前記送水管はホースである。
【００３５】
上記いずれか一つの技術的手段において、前記第２の制御部材は電磁弁である。
【００３６】
送水管はホースであり、ホースの柔軟性が良く変形し易く、取付空間に対する要求が低いため、簡単で有効で、柔軟な水搬送を実現し、空間配置が更に柔軟に行え、省スペースであり、第２の制御部材は電磁弁であり、制御は安定しており、感度が高く、勿論、他の制御部材であっても良い。
【００３７】
上記いずれか一つの技術的手段において、前記搬送制御システムは、前記調理器具が横型構造を有するように前記調理システムの一側に設けられる。
【００３８】
搬送制御システムを調理システムの一側に設け、調理器具の全体が横型構造になることで、従来技術の縦型構造を避けて、製品の全自動化を保証した上で、製品の構造及び制御原理を簡単化させ、器具全体構造がコンパクトになり、スペースの占用を減少する。搬送制御システムが調理システムの左側又は右側に設けられることが好ましい、搬送制御システムが調理システムの前方又は後ろに設けられることが次に好ましい。
【００３９】
上記いずれか一つの技術的手段において、前記調理器具は炊飯器である。
【００４０】
勿論、調理器具は炊飯器に限らず、電気の圧力鍋又は他の調理器具であっても良い。
【００４１】
本発明の他の態様やメリットは以下の説明によって明確になり、又は本発明を実施することで理解できる。
【００４２】
本発明の上記及び／又は他の態様やメリットは以下の図面を結合した実施例の説明から明確になり、容易に理解することができる。
【図面の簡単な説明】
【００４３】
【図１】本発明の第１の実施例に係る前記の調理器具の上面構造模式図である。
【図２】図１における搬送制御システムの構造模式図である。
【図３】図２に示す構造（洗浄装置を含む）の右面模式図である。
【図４】本発明の第２の実施例に係る前記の調理器具の上面構造模式図である。
【図５】本発明の第３の実施例に係る前記の調理器具の上面構造模式図である。
【図６】本発明の第４の実施例に係る前記の調理器具の上面構造模式図である。
【発明を実施するための形態】
【００４４】
本発明の上記目的、特徴、メリットを一層明確に理解するように、以下、図面と具体な実施形態を結合して本発明を更に詳しく説明する。なお、矛盾しない限り、本願の実施例及び実施例中の特徴を組み合せすることができる。
【００４５】
本発明を充分に理解するように、以下の説明で多くの具体な詳細を説明するが、本発明はここで説明する形態と異なる形態で実施することもできるので、本発明の保護範囲は以下で開示する具体な実施例に限定されない。
【００４６】
以下、図１乃至図６を参照して、本発明に係る一部の実施例の調理器具を説明する。
【００４７】
図１乃至図６に示すように、本発明で提供する調理器具は、調理システム１０と搬送制御システム２０とを含む。
【００４８】
具体的には、調理システム１０は、第１の入力口及び第２の入力口が設けられた洗浄装置１１と、洗浄装置１１に接続される調理チャンバーと、調理システム１０を独立制御可能な第１の制御装置とを含み、搬送制御システム２０は、調理システム１０の外側に位置付けられ、調理システム１０と取り外し可能に接続され、且つ第１の入力口及び第２の入力口に連通することができ、それぞれ第１の入力口及び第２の入力口を通して、洗浄装置１１に、洗浄待ちの食材と食材の洗浄用の水を搬送する。
【００４９】
本発明で提供する調理器具によれば、調理システム１０と搬送制御システム２０とを分離させ、管路又は他の方式によって両者の間の接続を実現し、調理システム１０と搬送制御システム２０とは独立して作業することを保証し、互いに干渉せず、器具全体の信頼性を有効に向上させ、製品の故障率を低減する。
【００５０】
具体的には、調理器具は、調理システム１０と搬送制御システム２０とを含み、調理システム１０は、第１の制御装置を備えるため、独立して作業することができ、搬送制御システム２０の影響を受けない。搬送制御システム２０が調理システム１０の外側に位置付けられ、且つ調理システム１０と取り外し可能に接続され、調理システム１０に水・食材を供給するために用いられ、本出願の調理器具の供給設備及び給水設備は、調理システム１０と分離し、従来技術の供給設備及び給水設備が調理システム１０と混在してしまい、調理システム１０の電源制御システム、パネル操作などの構造が水に影響されて信頼性が低減する問題を解決したため、器具全体の信頼性を有効に向上させ、製品の故障率を低減し、製品のメンテナンス作業量を顕著に減少し、製品の市場競争力を増加させる。なお、搬送制御システム２０が調理システム１０の外側に位置付けられ、且つ調理システム１０と取り外し可能に接続されるため、搬送制御システム２０、又は調理システム１０に問題がある時に、搬送制御システム２０、又は調理システム１０を交換するだけで良く、器具全体が使えなくなることがなく、そのため、製品のコストも相対的に低減することができる。
【００５１】
本発明のいくつの実施例において、図２及び図３に示すように、搬送制御システム２０は、食材供給装置、水路搬送装置及び第２の制御装置２３を含む。
【００５２】
具体的には、食材供給装置は、食材供給アセンブリ及び食材供給管２１３を含み、食材供給管２１３の入口が食材供給アセンブリに接続され、食材供給管２１３の出口が第１の入力口に連通することができ、洗浄装置１１に洗浄待ちの食材を搬送するために用いられ、水路搬送装置は、送水アセンブリと送水管２２１を含み、送水管２２１の入口が送水アセンブリに接続され、送水管２２１の出口が第２の入力口に連通することができ、洗浄装置１１に食材の洗浄用の水を搬送するために用いられ、第２の制御装置２３は、食材供給装置及び水路搬送装置に接続され、食材供給装置及び水路搬送装置のオン・オフを制御する。
【００５３】
搬送制御システム２０は、食材供給装置、水路搬送装置及び第２の制御装置２３を含み、食材供給装置は、食材供給管２１３によって第１の入力口に連通し、風力又は他の動力を利用して、洗浄装置１１に洗浄待ちの食材を搬送し、搬送制御システム２０の供給機能を実現し、水路搬送装置は、送水管２２１によって第２の入力口に連通し、洗浄装置１１に食材の洗浄用の水を搬送し、搬送制御システム２０の送水機能を実現し、第２の制御装置２３が食材供給装置及び水路搬送装置に接続し、両者のオン・オフをそれぞれ制御することによって、供給動作の起動停止及び送水動作の起動停止をそれぞれ制御し、搬送制御システム２０の自動制御機能を実現して、独立して作業することができ、調理システム１０の干渉を受けない。食材供給装置、水路搬送装置及び第２の制御装置２３が合わせて、調理器具の自動供給及び自動送水を実現し、調理器具が自動的に食材を洗浄することを保証し、調理器具の全自動化機能を実現した。
【００５４】
更に、図２及び図３に示すように、食材供給アセンブリは、貯蔵箱２１１、排出管２１２、送風部材及び第１の制御部材を含む。貯蔵箱２１１には排出口が設けられ、食材を貯蔵するために用いられ、排出管２１２の入口が排出口に連通され、排出管２１２の出口が食材供給管２１３の入口に連通され、送風部材の送風口が食材供給管２１３の入口に連通され、食材供給管２１３の食材を洗浄装置１１に搬送するように、食材供給管２１３に送風するために用いられ、第１の制御部材が排出管２１２に設けられ、且つ第２の制御装置２３に接続され、排出管２１２のオン・オフを制御する。
【００５５】
図２及び図３に示すように、食材供給アセンブリは、貯蔵箱２１１に接続され、貯蔵箱２１１及び貯蔵箱２１１内の食材の総重量を計量可能な計量センサーモジュール２１６をさらに含むことが好ましい。
【００５６】
選択的に、食材供給管２１３はホースである。
【００５７】
図２及び図３に示すように、選択的に、貯蔵箱２１１は漏斗形状である。
【００５８】
選択的に、送風部材はサイクロンモーター２１４である。
【００５９】
選択的に、第１の制御部材は電磁ボールバルブ２１５である。
【００６０】
上記実施例において、食材供給アセンブリは、貯蔵箱２１１、排出管２１２、送風部材及び第１の制御部材を含み、即ち、食材供給装置は、風力で供給を実現する気体駆動食材供給装置であり、供給效率が高く、清潔で環境にやさしく、更に食材の空気攪拌を実現し、食材を有効に洗浄することができる。具体的に、供給する時に、第２の制御装置２３は第１の制御部材を制御して排出管２１２を導通し、貯蔵箱２１１内の食材が排出管２１２を通して食材供給管２１３に搬送され、送風部材の吹き出し動作で、第１の入力口を通して洗浄装置１１に搬送され、食材供給装置の供給機能を実現し、供給を完了した後、第２の制御装置２３は、第１の制御部材を制御して排出管２１２を切断し、食材供給装置の供給が止まったが、送風部材は食材供給管２１３に送風し続け、風が洗浄装置１１に入って、食材及び水の運動を促進し、両者に対して攪拌作用を起こすため、食材の空気攪拌を実現でき、食材を更に有効に洗浄することができる。
【００６１】
勿論、食材供給装置は気体駆動食材供給装置に限らず、他の動力を利用して、食材を洗浄装置１１に搬送することができ、いずれも本発明の目的を実現でき、且ついずれも本発明の設計構想及び趣旨を逸脱しないため、全ては本発明の保護範囲に含まれることは、当業者にとって理解されるべきである。
【００６２】
計量センサーモジュール２１６を設け、貯蔵箱２１１及び貯蔵箱２１１内の食材の総重量を計量することによって、計量センサーモジュール２１６に表示した重量の変化だけで、貯蔵箱２１１から搬送した食材重量、即ち洗浄装置１１に搬送された食材重量を得て、食材供給装置の正確な定量供給を実現する。
【００６３】
食材が重力の作用で自動的に排出されるように、貯蔵箱２１１は漏斗形状となるが、勿論、貯蔵箱２１１の形状は漏斗形状に限らない。食材供給管２１３はホースであり、柔軟性が良いホースは取付空間に対する要求が低いため、簡単で有効であり、柔軟な物資搬送を実現し、空間配置が更に柔軟に行え、省スペースであり、送風部材はサイクロンモーター２１４であり、風力が強く、使用信頼性が高く、勿論、他の送風部材を使用することもでき、第１の制御部材は電磁ボールバルブ２１５であり、制御は安定しており、感度が高く、勿論、他の制御部材を使用することも可能である。
【００６４】
また、図２及び図３に示すように、排出管２１２、食材供給管２１３及び送風部材が中間部材によって接続され、中間部材は三つの接続口を有し、三つの接続口が、それぞれ排出管２１２の出口、食材供給管２１３の入口及び送風部材の送風口に連通される。
【００６５】
選択的に、中間部材は三方パイプ２１７、又は三つの接続口を有する容器である。
【００６６】
上記実施例において、排出管２１２、食材供給管２１３及び送風部材が、三つの接続口を有する中間部材によって接続され、そうすると、排出管２１２内の食材がまず中間部材に搬送され、それから、送風部材によって食材供給管２１３に吹き出され、食材供給管２１３を通して洗浄装置１１に搬送される。このような配置は非常に合理的であり、食材が洗浄装置１１の方向のみに流れ、逆方向に流さないことを保証して、製品の使用信頼性を保証できる。
【００６７】
中間部材は三方パイプ２１７であり、三方パイプ２１７の接続が安定しており、値段が安く、且取り付け易い、中間部材は三つの接続口を含む容器であり、例えば三つ口フラスコの形状に似ている容器であり、このような中間部材は、一定の過渡的な作用が更にあるため、食材が中間部材においてしばらく滞在し、且つ風力の作用で転がったり、摩擦したりして、食材表面にある粒状物を脱落させ、一定のドライクリーニング作用があり、食材の清潔度を向上させる。勿論、中間部材は他の部材であっても良く、三つの接続口を備え、且つ排出管２１２、食材供給管２１３及び送風部材の三者の間の有効な接続を実現できるものであれば良い。
【００６８】
また、図２及び図３に示すように、送水アセンブリは、給水アセンブリと第２の制御部材とを含む。給水アセンブリが送水管２２１の入口に接続され、送水管２２１に給水するために用いられ、第２の制御部材が送水管２２１に設けられ、第２の制御装置２３に接続され、送水管２２１のオン・オフを制御する。
【００６９】
図３に示すように、送水アセンブリは、送水管２２１に設けられ送水管２２１を通す水量を検出する流量計２２４をさらに含むことが好ましい。
【００７０】
選択的に、送水管２２１はホースである。
【００７１】
図２及び図３に示すように、選択的に、第２の制御部材は電磁弁２２３である。
【００７２】
上記実施例において、送水アセンブリは、給水アセンブリと第２の制御部材とを含み、送水する時に、第２の制御装置２３は、第２の制御部材を制御して送水管２２１を導通し、給水アセンブリによって送水管２２１を通して水を洗浄装置１１に搬送し、水路搬送装置の送水機能を実現し、送水を完了した後、第２の制御装置２３は、第２の制御部材を制御して送水管２２１を切断し、そうすると、洗浄装置１１内の食材が水と混合し合って、食材に対する洗浄を実現し、且つ洗浄装置１１の洗浄動作が完了した後、送水管２２１を再び導通し、再び洗浄装置１１に送水することができるため、洗浄装置１１本体も有効に洗浄される。
【００７３】
送水管２２１に流量計２２４を設け、流量計２２４を利用して送水管２２１を通す流量を検出することで、水路搬送装置が洗浄装置１１に搬送した水量を得て、正確な定量送水を実現する。
【００７４】
送水管２２１はホースであり、ホースの柔軟性が良く変形し易く、取付空間に対する要求が低いため、簡単で有効で、柔軟な水搬送を実現し、空間配置を柔軟に行え、省スペースであり、第２の制御部材は電磁弁２２３であり、制御は安定しており、感度が高く、勿論、他の制御部材であっても良い。
【００７５】
図１乃至図６に示すように、本発明の一実施例において、選択的に、給水アセンブリは、外部の水を搬送制御システム２０に搬送するように、外部の水源に連通する水道管ジョイント２２２を含む。
【００７６】
給水アセンブリは、第３の制御部材を更に含み、第３の制御部材が水道管ジョイント２２２に設けられ、水道管ジョイント２２２のオン・オフを制御するために用いられることが好ましい。
【００７７】
当該実施例において、給水アセンブリは水道管ジョイント２２２を含み、水道管ジョイント２２２を利用して、外部の水源の水を直接に洗浄装置１１に搬送し、例えば水道に直接に接し、非常に便利であり、別体の貯水構造を設置する必要がないため、調理器具の構造を更に簡単化させ、器具全体の構造が更にコンパクトになり、スペースの占用が少なくなる。更に、水道管ジョイント２２２のオン・オフを制御するように、水道管ジョイント２２２に第３の制御部材を設けることによって、送水管２２１の水が逆流することを避け、製品の使用信頼性を更に向上させる。
【００７８】
選択的に、本発明のもう一つの実施例（不図示）において、給水アセンブリは食材の洗浄用の水を貯蔵する水タンクを含み、水タンクはの排水口が送水管２２１の入口に連通される。
【００７９】
給水アセンブリは水ポンプを更に含み、水ポンプの入力端が水タンクの排水口に連通し、水ポンプの出力端が搬送制御システム２０に連通され、搬送制御システム２０に水タンク内の水を押し入れることが好ましい。
【００８０】
給水アセンブリは水タンクを含み、水タンクの貯水によって、同様に洗浄装置１１に便利に給水することができる。更に、水ポンプを設けることで、洗浄装置１１に水タンク内の水を押し入れることを保証し、更に製品の使用信頼性を保証する。
【００８１】
上記いずれの実施例においても、図１、図４、図５及び図６に示すように、搬送制御システム２０が調理システム１０の一側に設けられ、調理器具は横型構造を有する。
【００８２】
搬送制御システム２０を調理システム１０の一側に設け、調理器具全体が横型構造を有することにより、従来技術の縦型構造を避け、製品の全自動化を保証した上で、製品の構造及び制御原理を簡単化させ、器具全体構造がコンパクトになり、スペースの占用を減少させる。図１及び図４に示すように、搬送制御システム２０が調理システム１０の左側または右側に設けられることが好ましく、図５及び図６に示すように、搬送制御システム２０が調理システム１０の前方または後ろに設けられることが次に好ましい。
【００８３】
上記いずれの実施例において、図１、図４、図５及び図６に示すように、調理器具は炊飯器１である。
【００８４】
勿論、調理器具は炊飯器１に限らず、電気の圧力鍋又は他の調理器具であっても良く、豆乳機、食品加工業、化学工業、石油冶金業、牧畜業、農業の自動噴霧、医薬業などの分野に広がることができる。
【００８５】
以下、具体的な実施例を挙げて、本発明で提供する調理器具の作業原理を説明する。
【００８６】
図１乃至図３に示すように、調理器具は炊飯器１であり、搬送制御システム２０が調理システム１０の左側に設けられ、第１の入力口と第２の入力口とが洗浄装置１１の後ろに設けられる。具体的に、図２及び図３に示すように、搬送制御システム２０は、食材供給装置、水路搬送装置及び第２の制御装置２３を含む。
【００８７】
食材供給装置は食材供給アセンブリと食材供給管２１３とを含み、食材供給アセンブリは貯蔵箱２１１、排出管２１２、送風部材、第１の制御部材及び計量センサーモジュール２１６を含む。貯蔵箱２１１は漏斗形状となり、食材供給管２１３はホースであり、送風部材はサイクロンモーター２１４であり、第１の制御部材は電磁ボールバルブ２１５であり、食材供給管２１３、排出管２１２及び送風部材が三方パイプ２１７によって接続される。
【００８８】
水路搬送装置は送水アセンブリと送水管２２１とを含み、送水アセンブリは給水アセンブリ、第２の制御部材及び流量計２２４を含む。給水アセンブリは水道管ジョイント２２２を含み、水道管ジョイント２２２が家庭用水道に接し、送水管２２１はホースであり、第２の制御部材は電磁弁２２３である。
【００８９】
当該調理器具の作業原理は、供給する時に、電磁ボールバルブ２１５を開通し、同時にサイクロンモーター２１４が作動し、この際に、水路電磁弁２２３は閉状態であり、漏斗内の米又は他の食材が調理システム１０の洗浄装置１１に搬送され、計量センサーモジュール２１６によって定量供給を実現し、供給作動が完了した後、電磁ボールバルブ２１５及びサイクロンモーター２１４を閉め、水路電磁弁２２３を開き、調理システム１０の洗浄装置１１に送水するとともに、流量計２２４が水量を計量し、容器の限定量に達する時に、水路電磁弁２２３を閉めて、定量送水を実現する。洗浄装置１１の洗浄動作をしている時に、サイクロンモーター２１４を開き、洗浄装置１１内の食材及び水の運動を加速させるように、サイクロンモーター２１４が洗浄装置１１に吹き出し続け、空気攪拌を実現する。洗浄装置１１の洗浄動作が完了し、且つ洗浄された食材が移動された後、水路電磁弁２２３を再び開き、洗浄装置１１を清潔にし、洗浄装置１１の清潔を維持する。
【００９０】
このように、当該実施例は、気体駆動供給及び水路制御を合わせることによって、自動洗浄及び供給を実現し、全自動化を実現すると同時に、器具全体の構造がコンパクトとなり、スペースの占用を減少する。具体的に、食材供給装置によって簡単で有効で、柔軟な食材搬送という二つの機能を実現し、空間配置を更に柔軟に行え、省スペースであり、米などの食材を洗浄する時の空気攪拌を実現し、食材を有効に洗浄する。流量計２２４と電磁弁２２３の配合作動によって、水量の正確な制御及び洗浄装置１１の清潔という二つの機能も実現した。計量センサーモジュールと電磁ボールバルブ２１５の連携作動によって、米の定量正確な制御を実現し、気体駆動供給と水量制御によって、洗浄装置１１が洗浄機能を実現した。
【００９１】
以上、本発明で提供する調理器具によれば、調理システムと搬送制御システムとを分離させ、管路又は他の方式によって両者の間の接続を実現することで、調理システムと搬送制御システムが独立して作業することを保証し、互いに干渉せず、器具全体の信頼性を有効に向上させ、製品の故障率を低減した。具体的に、調理器具は、調理システムと搬送制御システムを含み、調理システムは第１の制御装置を含むため、独立して作業することができ、搬送制御システムの影響を受けない。搬送制御システムが調理システムの外側に位置付けられ、且つ調理システムと取り外し可能に接続され、調理システムに水・食材を供給するために用いられる。本出願の調理器具の供給設備と給水設備は、調理システムと分離し、従来技術の供給設備と給水設備が調理システムに混在してしまい、調理システムの電源制御システム、パネル操作などの構造が水に影響される信頼性低減の問題を解決したため、器具全体の信頼性を有効に向上させ、製品の故障率を低減し、製品のメンテナンス作業量を顕著に減少し、製品の市場競争力を増加させる。なお、搬送制御システムが調理システムの外側に位置付けられ、且つ調理システムと取り外し可能に接続されるため、搬送制御システム又は調理システムに問題がある時に、搬送制御システム又は調理システムを交換するだけで良く、器具全体が使えなくなることがなく、そうすれば、製品のコストも相対的に低減する。
【００９２】
本発明において、「第１の」、「第２の」、「第３の」の用語は、説明の目的のみに用いられ、重要性を指示または暗示するものではない。明確且つ具体的な限定がない限り、用語である「複数の」は、二つ又は二つ以上である。「取付」、「連接」、「接続」、「固定」などの用語の意味は広く理解されるべきであり、例えば、「連続」は固定連続であっても、取り外し可能な連続であっても、又は一体的に連続であってもよく、「連接」は直接的に接続することや、中間媒体を介して間接的に接続することも可能である。当業者にとって、具体的な状況に応じて上記用語の本発明中の具体的な意味を利用することができる。
【００９３】
本明細書の説明において、「上」、「下」、「前」、「後」、「左」、「右」などの用語で示す方位又は位置関係は図面に示す方位又は位置関係であり、本発明を説明し易くする、又は説明を簡単にするだけに用いられ、示している装置またはセットは必ず特定の方向を有し、特定の方位構造と操作を有することを表す又は暗示することではないことを理解されるべきであり、そのため、本発明に対する限定とみなされるべきではない。
【００９４】
本明細書の記載において、用語である「一実施例」、「いくつかの実施例」、「具体的な例示」などの記述は、当該実施例又は例示に説明された具体的な特徴、構造、材料が本発明の少なくとも一実施例又は例示に含まれていることを意味する。本明細書において、上記用語に対する概略的な説明は、必ずしも同一実施例又は例示を示しているわけではない。さらに、説明した具体的な特徴、構造、材料は、任意の一つ又は複数の実施例又は例示において適当な方式で組み合わせることができる。
【００９５】
以上は、本発明の好適な実施例に過ぎず、本発明を限定するものではない。当業者であれば、本発明に様々な修正や変形が可能である。本発明の精神や原則内での全ての修正、置換、改良などは、本発明の保護範囲内に含まれる。
【００９６】
なお、図１乃至図６における符号と部材名称との対応関係は以下のとおりである。
【符号の説明】
【００９７】
１  炊飯器
１０  調理システム
１１  洗浄装置
２０  搬送制御システム
２１１  貯蔵箱
２１２  排出管
２１３  食材供給管
２１４  サイクロンモーター
２１５  電磁ボールバルブ
２１６  計量センサーモジュール
２１７  三方パイプ
２２１  送水管
２２２  水道管ジョイント
２２３  電磁弁
２２４  流量計
２３  第２の制御装置
【図１】
2019533506.tif 000003
【図２】
2019533506.tif 000004
【図３】
2019533506.tif 000005
【図４】
2019533506.tif 000006
【図５】
2019533506.tif 000007
【図６】
2019533506.tif 000008
【国際調査報告】
2019533506.tif 000009
2019533506.tif 000010
2019533506.tif 000011
2019533506.tif 000012